(57)【特許請求の範囲】
【請求項１】
所定期間内に生産する複数種類の基板、基板の種類毎の生産量、前記複数種類の基板の生産順序及び生産時期を計画した生産計画を作成する生産計画工程と、
前記複数種類の基板の生産に使用される電子部品或いは材料の種類のうち前記所定期間内に使用期限が到来する電子部品或いは材料の種類の有無を判定する使用期限到来有無判定工程と、
前記使用期限到来有無判定工程において、使用期限が到来する電子部品或いは材料の種類が無いと判定されると、前記生産計画に基づいて前記複数種類の基板を生産する生産工程と、
前記使用期限到来有無判定工程において、使用期限が到来する電子部品或いは材料の種類が有りと判定されると、前記生産計画において前記複数種類の基板の生産順序を変更し、前記所定期間内に使用期限が到来する前記電子部品或いは材料の種類の有無を再判定する使用期限到来有無再判定工程と、
前記使用期限到来有無再判定工程において、使用期限が到来する電子部品或いは材料の種類が無いと判定されると、前記変更された生産計画に基づいて前記複数種類の基板を生産する変更生産工程と、
を有することを特徴とする電子回路基板の生産管理方法。
【請求項２】
請求項１において、前記使用期限到来有無再判定工程において、使用期限が到来する電子部品或いは材料の種類が有りと判定されると、前記所定期間内に使用期限が到来する電子部品或いは材料の価格が最も安くなるように、前記複数種類の基板の生産順序を変更する廃棄価格最小生産順序変更工程を有することを特徴とする電子回路基板の生産管理方法。
【請求項３】
請求項１において、前記生産計画工程は、使用される電子部品或いは材料の種類の共通性の高い複数種類の基板について類似基板としてグループ化し、該グループ毎に生産時期を計画するものであり、
前記使用期限到来有無判定工程は、前記各グループ毎に前記所定期間内に使用期限が到来する電子部品或いは材料の種類の有無を判定するものであり、
前記使用期限到来有無再判定工程は、前記グループ毎に前記所定期間内に使用期限が到来する前記電子部品或いは材料の種類の有無を再判定するものであることを特徴とする電子回路基板の生産管理方法。
【請求項４】
請求項１において、前記使用期限到来有無判定工程又は前記使用期限到来有無再判定工程において、使用期限が到来する電子部品或いは材料の種類が無いと判定されると、前記複数種類の基板の生産順序に基づいて使用終了時刻を算定する使用終了時刻算定工程と、
前記所定期間内に残数が０となる電子部品或いは材料の種類毎の使用終了時刻及び使用期限より開封許可時刻を算定する開封許可時刻算定工程と、
前記開封許可時刻算定工程において算定された開封許可時刻後の段取替えの有無を判定する段取替有無判定工程と、
前記段取替有無判定工程において段取替えが有ると判定されると、段取替え時に前記所定期間内に残数が０となる電子部品或いは材料を開封する段取替え時開封工程と、
を有していることを特徴とする電子回路基板の生産管理方法。
【請求項５】
所定期間内に生産する複数種類の基板、基板の種類毎の生産量、前記複数種類の基板の生産順序及び生産時期を計画した生産計画を作成する生産計画手段と、
前記複数種類の基板の生産に使用される電子部品或いは材料の種類のうち前記所定期間内に使用期限が到来する電子部品或いは材料の種類の有無を判定する使用期限到来有無判定手段と、
前記使用期限到来有無判定手段において、使用期限が到来する電子部品或いは材料の種類が無いと判定されると、前記生産計画に基づいて前記複数種類の基板を生産する生産手段と、
前記使用期限到来有無判定手段において、使用期限が到来する電子部品或いは材料の種類が有りと判定されると、前記生産計画において前記複数種類の基板の生産順序を変更し、前記所定期間内に使用期限が到来する前記電子部品或いは材料の種類の有無を再判定する使用期限到来有無再判定手段と、
前記使用期限到来有無再判定手段において、使用期限が到来する電子部品或いは材料の種類が無いと判定されると、前記変更された生産計画に基づいて前記複数種類の基板を生産する変更生産手段と、
を備えていることを特徴とする電子回路基板の生産管理システム。
【発明の詳細な説明】
【技術分野】
【０００１】
本発明は、電子部品を基板に装着して電子回路基板を生産する場合の生産管理方法及び生産管理システムに関する。
【背景技術】
【０００２】
従来、電子回路の基板に装着される電子部品には、外気に放置すると吸湿、酸化等のため劣化して機能を発揮しなくなる種類のものがあり、これらについては使用される直前まで包装・梱包によって保護され、包装・梱包開封後に使用できる所定の使用期限が設定されている。
【０００３】
このような電子部品の扱いについて、使用に問題のない範囲の劣化であれば、例えば検視カメラ等による品質チェックにおいて部品を良品とする範囲のパートデータの調整を行って対応することが行われており、使用される電子部品の使用期限についての運用は主にユーザに依存していたという実態があった。そして、当該電子部品が基板に装着されて電子回路基板の生産に使用された後は、コーティングされたり専用の保管庫に保管されたりすることで劣化防止が図られている。
【０００４】
また、このように劣化する電子部品の取り扱いについて、特許文献１に記載される使用期限の管理方法が知られている。これは電子回路部品群のデータを入力しておいて、使用期限日時及び優先順位に基づいて装着電子回路部品が選択されるようになっている。電子回路部品群の中で、使用期限が切れていない有効な電子部品があれば優先順位の最も高い電子部品を装着し、使用期限が切れている電子部品は装着しないように判断される。優先順位としては、例えばコストで考えると、安価な電子部品程優先順位が高く、電気特性で考えると、果たすべき機能に適した電子回路部品ほど優先順位が高く設定されている。
【特許文献１】特開２００３−２７３５９６号公報（第３７頁、図１３,図1４）
【発明の開示】
【発明が解決しようとする課題】
【０００５】
上記従来の方法では、電子部品の使用期限が考慮されてはいるが、使用期限が切れた電子部品は装着しないように判断されていたに過ぎなかった。
【０００６】
本発明は、係る従来の問題点に鑑みてなされたものであり、基板に装着される電子部品や使用される材料の使用期限を生産順序の決定判断に組み入れることで、使用期限の到来で廃棄される部品や材料を削減して、生産工程における歩留りをよくして生産効率の向上を図ることができる電子回路基板の生産管理方法及び生産管理システムを提供することである。
【課題を解決するための手段】
【０００７】
上述した課題を解決するために、請求項１に係る発明の特徴は、所定期間内に生産する複数種類の基板、基板の種類毎の生産量、前記複数種類の基板の生産順序及び生産時期を計画した生産計画を作成する生産計画工程と、前記複数種類の基板の生産に使用される電子部品或いは材料の種類のうち前記所定期間内に使用期限が到来する電子部品或いは材料の種類の有無を判定する使用期限到来有無判定工程と、前記使用期限到来有無判定工程において、使用期限が到来する電子部品或いは材料の種類が無いと判定されると、前記生産計画に基づいて前記複数種類の基板を生産する生産工程と、前記使用期限到来有無判定工程において、使用期限が到来する電子部品或いは材料の種類が有りと判定されると、前記生産計画において前記複数種類の基板の生産順序を変更し、前記所定期間内に使用期限が到来する前記電子部品或いは材料の種類の有無を再判定する使用期限到来有無再判定工程と、前記使用期限到来有無再判定工程において、使用期限が到来する電子部品或いは材料の種類が無いと判定されると、前記変更された生産計画に基づいて前記複数種類の基板を生産する変更生産工程と、を有することである。
【０００８】
請求項２に係る発明の特徴は、請求項１において、前記使用期限到来有無再判定工程において、使用期限が到来する電子部品或いは材料の種類が有りと判定されると、前記所定期間内に使用期限が到来する電子部品或いは材料の価格が最も安くなるように、前記複数種類の基板の生産順序を変更する廃棄価格最小生産順序変更工程を有することである。
【０００９】
請求項３に係る発明の特徴は、請求項１において、前記生産計画工程は、使用される電子部品或いは材料の種類の共通性の高い複数種類の基板について類似基板としてグループ化し、該グループ毎に生産時期を計画するものであり、前記使用期限到来有無判定工程は、前記グループ毎に前記所定期間内に使用期限が到来する電子部品或いは材料の種類の有無を判定するものであり、前記使用期限到来有無再判定工程は、前記グループ毎に前記所定期間内に使用期限が到来する前記電子部品或いは材料の種類の有無を再判定するものであることである。
【００１０】
請求項４に係る発明の特徴は、請求項１において、前記使用期限到来有無判定工程又は使用期限到来有無再判定工程において、使用期限が到来する電子部品或いは材料の種類が無いと判定されると、前記複数種類の基板の生産順序に基づいて使用終了時刻を算定する使用終了時刻算定工程と、前記所定期間内に残数が０となる電子部品或いは材料の種類毎の使用終了時刻及び使用期限より開封許可時刻を算定する開封許可時刻算定工程と、前記開封許可時刻算定工程において算定された開封許可時刻後の段取替えの有無を判定する段取替有無判定工程と、前記段取替有無判定工程において段取替えが有ると判定されると、段取替え時に前記所定期間内に残数が０となる電子部品或いは材料を開封する段取替え時開封工程と、を有していることである。
【００１１】
請求項５に係る発明の特徴は、所定期間内に生産する複数種類の基板、基板の種類毎の生産量、前記複数種類の基板の生産順序及び生産時期を計画した生産計画を作成する生産計画手段と、前記複数種類の基板の生産に使用される電子部品或いは材料の種類のうち前記所定期間内に使用期限が到来する電子部品或いは材料の種類の有無を判定する使用期限到来有無判定手段と、前記使用期限到来有無判定手段において、使用期限が到来する電子部品或いは材料の種類が無いと判定されると、前記生産計画に基づいて前記複数種類の基板を生産する生産手段と、前記使用期限到来有無判定手段において、使用期限が到来する電子部品或いは材料の種類が有りと判定されると、前記生産計画において前記複数種類の基板の生産順序を変更し、前記所定期間内に使用期限が到来する前記電子部品或いは材料の種類の有無を再判定する使用期限到来有無再判定手段と、前記使用期限到来有無再判定手段において、使用期限が到来する電子部品或いは材料の種類が無いと判定されると、前記変更された生産計画に基づいて前記複数種類の基板を生産する変更生産手段と、を備えていることである。
【発明の効果】
【００１３】
請求項１に係る発明においては、所定期間内に生産する複数種類の基板、基板の種類毎の生産量、前記複数種類の基板の生産順序及び生産時期を計画した生産計画が作成され、前記複数種類の基板の生産に使用される電子部品或いは材料の種類のうち前記所定期間内に使用期限が到来する電子部品或いは材料の種類の有無が、使用期限到来有無判定工程において判定される。使用期限が到来する電子部品或いは材料の種類が無いと判定されると、前記生産計画に基づいて前記複数種類の基板が生産され、使用期限到来有無判定工程において、使用期限が到来する電子部品或いは材料の種類が有りと判定されると、前記生産計画において前記複数種類の基板の生産順序を変更し、前記所定期間内に使用期限が到来する前記電子部品或いは材料の種類の有無が再判定される。使用期限到来有無再判定工程において、使用期限が到来する電子部品或いは材料の種類が無いと判定されると、変更された生産計画に基づいて前記複数種類の基板が生産される。
このように生産計画における複数種類の基板の生産順序で生産すると電子部品或いは材料の使用期限が到来してしまうと判定されたときには、基板の生産順序を変更して再判定し、再判定により使用期限が到来するものが無いときに変更された生産順序で基板を生産することで、廃棄される電子部品或いは材料をなくすことが可能となる。
【００１４】
請求項２に係る発明においては、使用期限到来有無再判定工程において、使用期限が到来する電子部品或いは材料の種類が有りと判定されると、所定期間内に使用期限が到来する電子部品或いは材料の価格が最も安くなるように、複数種類の基板の生産順序が変更される。
これにより、廃棄される電子部品或いは材料の価格が最も安くなり生産コストの低減を図ることができる。
【００１５】
請求項３に係る発明においては、生産計画工程により使用される電子部品或いは材料の種類の共通性の高い複数種類の基板について類似基板としてグループ化し、該グループ毎に生産時期が計画される。使用期限到来有無判定工程により各グループの前記複数種類の基板の生産に使用される電子部品或いは材料の種類のうち前記所定期間内に使用期限が到来する電子部品或いは材料の種類の有無が判定される。使用期限到来有無再判定工程によりグループ毎に所定期間内に使用期限が到来する電子部品或いは材料の種類の有無が再判定される。
これにより、共通して使用され低電子部品が連続して基板の生産に使用されることとなり、電子部品の使用期限までの期間を無駄に消尽させることなく使用することができる。
【００１６】
請求項４に係る発明においては、使用期限到来有無判定工程又は使用期限到来有無再判定工程において、使用期限が到来する電子部品或いは材料の種類が無いと判定されると、前記複数種類の基板の生産順序に基づいて使用終了時刻が算定され、前記所定期間内に残数が０となる電子部品或いは材料の種類毎の使用終了時刻及び使用期限より開封許可時刻が算定される。そして、算定された開封許可時刻後の段取替えの有無が判定され、段取替有無判定工程において段取替えが有ると判定されると、段取替え時に前記所定期間内に残数が０となる電子部品或いは材料が開封される。
これにより、未開封の電子部品或いは材料の開封許可時刻を決定することができるので、開封されることにより劣化する電子部品或いは材料を無駄なく使用することができる。
【００１７】
請求項５に係る発明においては、生産計画手段により所定期間内に生産する複数種類の基板、基板の種類毎の生産量、前記複数種類の基板の生産順序及び生産時期を計画した生産計画が作成され、使用期限到来有無判定手段により前記複数種類の基板の生産に使用される電子部品或いは材料の種類のうち前記所定期間内に使用期限が到来する電子部品或いは材料の種類の有無が判定される。そして、使用期限到来有無判定手段において、使用期限が到来する電子部品或いは材料の種類が無いと判定されると、生産手段により前記生産計画に基づいて前記複数種類の基板が生産され、使用期限到来有無判定手段において、使用期限が到来する電子部品或いは材料の種類が有りと判定されると、前記生産計画において前記複数種類の基板の生産順序を変更し、使用期限到来有無再判定手段により前記所定期間内に使用期限が到来する前記電子部品或いは材料の種類の有無が再判定される。前記使用期限到来有無再判定手段において、使用期限が到来する電子部品或いは材料の種類が無いと判定されると、変更生産手段により前記変更された生産計画に基づいて前記複数種類の基板が生産される。
このように、生産計画における複数種類の基板の生産順序で生産すると電子部品或いは材料の使用期限が到来してしまうと判定されたときには、基板の生産順序を変更して再判定し、再判定により使用期限が到来するものが無いときに変更された生産順序で基板を生産することで、廃棄される電子部品或いは材料をなくすことが可能な生産管理システムを提供することができる。
【発明を実施するための最良の形態】
【００１９】
本発明に係る生産管理方法の第１の実施形態を図面に基づいて以下に説明する。この生産管理方法に使用する生産管理システムは電子部品実装機、基板搬送装置、部品供給装置、記憶装置及び演算装置を兼ねたコンピュータから構成されている。図１は、当該生産管理システムの電子回路基板の生産に使用される各部品情報の取得から電子回路基板の生産順序の決定までの概念を示す図であり、図２は電子部品についての各種情報をデータベースに登録するシステムを示す図である。
【００２０】
図１に示すように、例えば各種電子部品を封じた各供給リールの部品名、ＩＤ番号、開封後の使用期限等の基本情報を部品管理システムのデータベース１に記憶させ、部品開封時期、部品残数等の部品使用状況情報と、電子回路基板の生産に使用される電子部品の種類・数量等の基板別装着電子部品情報とから演算して、使用期限内に電子部品が電子回路基板の生産（Ｊｏｂ）に使用されるように、最適化アプリケーション２によって電子回路基板の最適な生産順序やフィーダの配置を決定するようになっている。
【００２１】
また、図２に示すように、電子部品はキャリアテープに所定のピッチに包有された状態で納入され、キャリアテープは巻回された供給リール３毎にデータベース１に登録され、識別のためのバーコード５が付与される。供給リール３は、例えば真空パックなどの密封状態でストックされ、湿気や酸化による電子部品の品質劣化が防止されている。この識別のためのバーコードは真空パックされた供給リール３に付与されるとともに、後述する開封後の供給リール３についても付与される。これによって、開封前の供給リール（電子部品）３及び開封後の供給リール（電子部品）３の両方について部品残数管理が可能となる。同じ種類の供給リール３についても、例えばシリアル番号が追加されてバーコード化され、このバーコードが貼り付けられて同種の供給リール３であっても区別できるようになっている。部品使用状況情報における部品残数（在庫数）については、例えば前記納入された電子部品（供給リール３）の部品数データと、後述する電子部品実装機で実際に使用された部品数データとを部品管理システムにフィードバックすることで該残数が取得されるようになっている。
【００２２】
次に、図３及び図４に示すように、前記供給リール３は、カセット式フィーダ９の後部にセットされる。このカセット式フィーダ９にセットされる時点で密封状態から開封されることとなる。この部品の開封時刻については、例えばバーコードの読み取りモードとして「開封時刻取得モード」を設け、前記開封と同時に部品のバーコードを読み込むことで、その時刻が開封時刻としてデータベース１に入力されるようになっている。カセット式フィーダ９は本体９aと、本体９aの先端に設けた部品取出し部９bとを備えている。このときカセット式フィーダ９にも同フィーダ９の出荷時点よりバーコード５が貼り付けられており、両バーコード５がリーダ１１によって読み取られて、セットされる供給リール３とカセット式フィーダ９の組合せが、データベース１に登録される。また、複数のカセット式フィーダ９は後述する電子部品実装機７の傍ら（図４において手前側）に設けられたカセットホルダ部１３にそれぞれ着脱可能に並列した状態でセットされる。各供給リール３には前述のように電子部品が所定ピッチで包有されたキャリアテープがそれぞれ巻回され、これらのテープがスプロケットにより所定ピッチで引き出され、電子部品が包有状態を解除されて部品取出し部９bに順次送り込まれるようになっている。カセット式フィーダ９とカセットホルダ部１３とはＩＣチップ等によって互いに認識でき、これらのカセット式フィーダ９とカセットホルダ部１３とにより部品供給装置１５が構成されている。
【００２３】
部品供給装置１５の傍らには基板１９に電子部品を装着する電子部品実装機７が配置され、電子部品実装機７の基台１７上には基板搬送装置２１が設けられている。基板搬送装置２１は基板１９を搬送方向であるＹ方向に搬送するものであり、基台１７上に組み付けられた第１及び第２ガイドレール２３,２５を備えている。第１及び第２ガイドレール２３,２５は搬送方向に延在しかつ互いに平行に対向して配置されており、これらによって基板１９が搬送方向に案内されるようになっている。また、基板搬送装置２１には、第１及び第２ガイドレール２３,２５の直下に互いに平行に設けられた一対の図略のコンベアベルトが並設されており、これらのコンベアベルトによって基板１９が支持されて搬送方向に搬送される。また、基板搬送装置２１には所定位置まで搬送された基板１９を押し上げてクランプする図略のクランプ装置が備えられ、該クランプ装置によって基板１９が実装のために位置決め固定されるようになっている。
【００２４】
基板搬送装置２１の上側にはＹ方向に細長い移動台２７が、Ｙ方向に直交するＸ方向に延びる図略の固定レールにＸ方向とＹ方向に移動可能に支持されている。なお、移動台２７のＸ方向及びＹ方向の移動はボールねじを介してサーボモータにより制御されている。移動台２７には部品移載装置３１と基板認識用カメラ３３が取付けられている。
【００２５】
部品移載装置３１は、移動台２７に着脱可能に取付けられる支持ベース３５と、この支持ベース３５にＸ方向及びＹ方向と直角なＺ方向に昇降可能に支持されてボールねじを介してサーボモータにより昇降が制御される部品実装ヘッド３７と、この部品実装ヘッド３７から下方に突出して設けられて下端に電子部品を吸着保持する円筒状の吸着ノズル３９より構成される。この部品移載装置３１によって部品供給装置１５におかれた電子部品が基板１９まで運ばれ、基板１９の表面に装着されるようになっている。
【００２６】
部品供給装置１５と基板搬送装置２１の間には部品認識用カメラ４１が設けられ、吸着ノズル３９に吸着されている電子部品の吸着状態を撮像するようになっている。
【００２７】
次に、上記のような構成の電子回路基板生産システムを使って電子回路基板の生産順序を決定する方法について以下説明する。図５に示すように、例えば生産計画より生産する基板の種類、生産量、生産時期が決定される（ステップＳ１０１）。本実施形態では、図６に示すように、２００Ｘ年３月１１日午前１０時より１２時間でＡ、 Ｂ、 Ｃの各電子回路基板がＪｏｂＡ、ＪｏｂＢ、ＪｏｂＣの生産において、それぞれ各１００セット生産する計画となっている。
【００２８】
次に、電子部品について基本情報、部品使用状況情報、基板別装着電子部品情報を取得する（ステップＳ１０２）。但し、既に電子部品の搬入時にデータベースに入力されている情報や既に生産に使われた部品の数量から算定される在庫数量等は除かれる。図６に示すように、例えば、基板別装着電子部品情報から電子回路基板Ａ，Ｂ，Ｃを生産する場合について、電子回路基板Ａには電子部品a、b、c、d、eが各１個ずつ装着され、電子回路基板Ｂには電子部品a、b、d、fが各１個ずつ装着され、電子回路基板Ｃには電子部品a、c、eが各１個ずつ装着されるようになっている。また、基本情報から装着される電子部品の劣化を防ぐ密閉パックより開封後の使用期限がa〜fについてそれぞれ１２時間〜３２時間と取得される。また、部品cについては、部品使用状況情報からすでに開封され、使用期限が経時的に減少して有効期限が１０時間であることが取得される。
【００２９】
次に、多くの電子部品が使用期限内に使用されるように、最適化アプリケーション２によって生産順序の最適化を行う。例えば、使用される電子部品の共通性の高い電子回路基板について類似基板としてグループ化を行う（ステップＳ１０３）。ここで、Ａ基板とＢ基板とでは共通して装着される部品がa、b、dの３つ、Ｂ基板とＣ基板とでは共通して装着される部品はaの１つ、Ｃ基板とＡ基板とでは共通して装着される部品がa、c、eの３つである。共通する部品が３つ以上を類似基板としてプログラム等で判定するようにしておくことによって、Ａ基板とＢ基板、Ａ基板とＣ基板は連続して生産するように生産順序を検討する。これらのグループ化された基板を連続して生産することにより、共通して使用されている電子部品が連続して基板の生産に使用されることになり、電子部品の使用期限までの期間を無駄に消尽させることなく使用することができる。
【００３０】
次に、予定の生産終了時刻までに使用期限が到来するものがないかを判断する（ステップＳ１０４）。
【００３１】
ステップＳ１０４において、予定の生産終了時刻までに使用期限が到来する電子部品がないときは、その生産順序で基板１９に実装する（ステップＳ１０５）。
【００３２】
ステップＳ１０４において、予定の生産終了時刻までに使用期限が到来する電子部品がある場合には、ステップＳ１０６に移行し、生産順序を変更するとすべての電子部品について使用期限内に生産終了時刻となるかを判断する（ステップＳ１０６）。本実施形態においては、前述の類似基板を連続して生産するという条件で考えられる電子回路基板の生産順序の組合せとしては、Ｂ，Ａ，Ｃ又はＣ，Ａ，Ｂがある。ところが、部品cについては既に開封されているため、有効期限が１０時間と短い。かかる場合において、電子回路基板をＢ,Ａ,Ｃの順序で生産しようとすると、生産終了前に有効期限が到来してしまう。もう一方のＣ,Ａ，Ｂの順序で生産すると使用期限内にすべての電子部品が生産終了時刻となる。
【００３３】
そこで、図７に示すように、電子回路基板はＪｏｂＣ、ＪｏｂＡ、ＪｏｂＢの順序で生産するように生産の順序を入れ替える（ステップＳ１０７）。このように使用期限情報を基に、単に使用期限が到来した電子部品は使用しないとするだけでなく、可能な限り多くの電子部品が使用期限内に使用されるよう電子回路基板の生産順序を決定することで、使用期限の到来によって使用しないで廃棄される電子部品をゼロにし若しくは減少させることができ、歩留りを上げ生産性を向上させることができる。なお、上記ステップＳ１０３からステップＳ１０７については最適化アプリケーション２の作動により実行される。
【００３４】
なお、本実施形態では該当しないが、ステップＳ１０６において、使用期限内に生産を終了しない電子部品がある場合、後述する第４の実施形態へ移行する※１。
【００３５】
次に、以上のように電子回路基板の生産順序が決定された各基板１９について電子部品が装着される（ステップＳ１０８）。このように、生産順序が決定された基板１９は、コンピュータに制御された基板搬送装置２１によって所定位置まで搬入され、その位置で図略のクランプ装置によって位置決め固定される。実装される電子部品は部品移載装置３１を部品供給装置１５の部品取出し部９bまで移動され、吸着ノズル３９により吸着採取される。吸着採取された電子部品は途中で部品認識用カメラ４１によって吸着状態のチェックがなされ、吸着状態が良好ならば位置決め固定された基板１９まで移動されて実装される。そして、すべての電子部品が実装された基板１９は電子回路基板として基板搬送装置２１により搬出され、他方では新たな基板１９が搬入されて同様に実装位置に位置決めされて固定される。
【００３６】
次に、電子回路基板の生産順序を決定する第２の実施形態について説明する。電子回路基板の生産システムとしては第１実施形態と同様なので、構成の説明をを省略する。第２の実施形態では、納入時期や開封時期の違いから同じ部品が別々のＩＤ番号で管理されており、また、電子部品の開封可能時刻を生産計画における電子部品の使用終了時刻から逆算して求める場合について説明する。
【００３７】
まず、図８に示すように、生産する基板の種類、生産量、生産時期を計画する（ステップＳ２０１）。本実施形態では、図１０に示すように、２００Ｘ年３月１１日１０時００分から生産が開始されて同年３月１２日１６時００分の生産終了時刻までの間に、電子回路基板Ｌ，Ｍ，ＮをＪｏｂ１、Ｊｏｂ２，Ｊｏｂ３において各２００セットずつ生産するよう計画されている。
【００３８】
次に、図９に示すように、基本情報から各電子部品について、ＩＤ番号、未開封時使用期限、開封後使用期限が取得され、部品使用状況情報から開封日時、部品残数が取得される。また、図１０に示すように、基板別装着電子部品情報から基板毎に使用される部品名、装着のために使用される部品数、使用される電子部品のＩＤが取得され、生産計画に基づき、生産開始時刻、必要な生産時間、生産終了時刻が求められる（ステップＳ２０２）。
【００３９】
次に、最適化アプリケーション２によって、生産順序の最適化を行う。ここでは、先ず生産に使用される電子部品の使用期限が生産終了時刻までに到来しないかを検討する（ステップＳ２０３）。仮に電子回路基板がＬ、Ｍ、Ｎの順序で生産が行われるとすると、電子回路基板Ｌの生産Ｊｏｂ１においては、部品ｒについては５００個使用され、これのために残数が５００個あるＩＤ番号ｒ００１が生産に供給されて用い尽くされる。部品ｓについては、残数が２０００個あるＩＤ番号ｓ００１が使用の直前（Ｊｏｂ１の生産の直前）に開封されて、そのうち１０００個が使用される。部品の使用期限と開封時期から求められる有効期限は、ＩＤがｒ００１については、開封時期が２００Ｘ年３月１０日 １０時００分であり、開封後の使用期限が７２時間から、同年３月１３日１０時００分までが有効期限となる。この場合のＪｏｂ１の生産終了時刻は、図１０に示すように、同年３月１１日２０時００分であるから、ｒ００１は生産終了時刻後に有効期限が到来する。同様にしてｓ００１については、未開封であるから開封時期はＪｏｂ１の生産開始直前の２００Ｘ年３月１１日１０時００分であり、開封後の使用期限が２４時間であるところから、有効期限は同年３月１２日１０時００分までとなる。そして、Ｊｏｂ１の生産終了時刻は同年３月１１日２０時００分であるから、ｓ００１がＪｏｂ１で使われる１０００個分については生産終了時刻後に有効期限が到来する。
【００４０】
以下同様にして、生産終了時刻前に有効期限が到来するか否かを求めると、Ｊｏｂ２においてＩＤ番号ｔ００１のｔ部品が、生産終了時刻は２００Ｘ年３月１２日６時００分であるのに対して開封日時が同年３月９日１８時００分であるので、同年３月１１日１８時００分に有効期限が到来し、Ｊｏｂ３においてｓ００１のｓ部品は、生産終了時刻は同年３月１２日１６時００分であるのに対して同年３月１２日１０時００分に有効期限が到来し、それぞれ生産終了前に有効期限が到来することとなる。
【００４１】
なお、ステップＳ２０３において、本実施形態では生産終了時刻前に有効期限が到来する部品が存在するためステップＳ２０５へ移行するが、該時刻前に有効期限が到来する部品がない場合には、ステップＳ２０４へ移行して、その生産順序で生産がおこなわれ、電子部品は基板１９に実装される（ステップＳ２０４）。
【００４２】
ステップＳ２０３において、上記のように生産終了時刻前に有効期限が到来する部品が存在するため、ステップＳ２０５へ移行し、生産順序を変更することによって、すべての電子部品が使用期限（有効期限）内に生産終了するかが検討される（ステップＳ２０５）。
【００４３】
ステップＳ２０５において、生産順序を変更することで、すべての電子部品が使用期限内に生産を終了する場合、最適化アプリケーション２によって、開封されて使用期限が短くなった部品を早い生産時期に使うこと、共通して使用される部品については連続して使うように電子回路基板間の生産順序を変更するとともに、使用される部品ＩＤも考慮して並べかえ、生産順序の最適化を行う。そして、図１１に示すように、Ｊｏｂ２、Ｊｏｂ１、Ｊｏｂ３の順序で生産するように変更する（ステップＳ２０６）。この場合、例えば、既に２００Ｘ年３月９日１８時００分に開封されたＩＤ番号ｔ００１のｔ部品については、最初の生産（Ｊｏｂ２）でｔ００２と共に使用されるようにする。この場合、ｔ００１の有効期限となる同年３月１１日１８時００分に対して最初の生産の生産終了時刻は同年３月１１日２０時００分であるが、ｔ部品が１０００個使用される最初の生産の中で、さらにその最初の生産の前半に使用することで、有効期限前の生産に使用して用い尽すことができる。また、ＩＤ番号ｓ００１のように比較的使用期限の短いｓ部品については、第２番目の生産であるＪｏｂ１と第３番目の生産であるＪｏｂ３とにおいて連続して使用することにより、Ｊｏｂ１の生産開始時３月１１日２０時００分に開封されても、有効期限は３月１２日２０時００分となり、Ｊｏｂ３の生産終了時刻３月１２日１６時００分以後に有効期限が到来することとなる。
【００４４】
なお、本実施形態では該当しないが、ステップＳ２０５において、使用期限内に生産を終了しない電子部品がある場合、後述する第４の実施形態へ移行する※１。
【００４５】
次に、生産順序が変更された生産計画に基づき、電子部品を基板に装着する（ステップＳ２０７）。基板に電子部品を装着して電子回路基板を生産する過程は第１の実施形態と同様なので省略する。
【００４６】
このようにして、この実施形態では、すべての電子部品について、使用期限内に電子回路基板の生産に使用することができることとなる。このように使用期限情報を基に、単に使用期限が到来した電子部品は使用しないとするだけでなく、例え同種の部品であってもＩＤ番号を考慮し、可能な限り多くの電子部品或いは材料が使用期限内に使用されるよう電子回路基板の生産順序を決定することで、使用期限の到来によって使用しないで廃棄される部品をゼロにし若しくは減少させることができ、歩留りを上げ電子回路基板の生産性を向上させることができる。
【００４７】
また、未開封の電子部品の開封許可時刻については、生産順序より電子部品の生産計画における使用終了時刻と同部品の使用期限とから逆算することにより求めることができる。図１３に示すように、まず、生産順序の決定より電子部品毎に使用終了時刻を決定する（ステップＳ２１１）。例えば、図１２に示すように、ｒ００２のｒ部品はＪｏｂ３の生産で使い切るので、生産終了時刻２００Ｘ年３月１２日１６時００分となる。
【００４８】
次に、前記使用終了時刻と部品毎の使用期限とから逆算して開封許可時刻を算定する（ステップＳ２１２）。前記ｒ００２のｒ部品については、開封後の使用期限が７２時間であるから、使用終了時刻の２００Ｘ年３月１２日１６時００分から逆算した同年３月９日１６時００分が開封許可時刻として算定される。
【００４９】
次に、この算定された開封許可時刻と生産開始時刻との間に、生産に使用される複数種類の電子部品を部品供給装置１５に一緒にセットする段取替えが、作業効率のため、行われるか否かが判断される（ステップＳ２１３）。
【００５０】
ステップＳ２１３において、段取替えが行われる場合は、その段取替えが行われる時点が開封許可時刻となる（ステップＳ２１４）。
【００５１】
ステップＳ２１３において、段取替えが行われない場合にはステップＳ２１５へ移行し、使用終了時に次の生産に使用可能な部品が開封済み部品として残るかが判断される（ステップＳ２１５）。
【００５２】
ステップＳ２１５において、次の生産に使用可能な部品が残存している場合、例えば、ｔ００２のｔ部品についてはＪｏｂ３が終了した時点では次の生産に使用可能な部品が５００個残存する。この場合、できるだけ使用される直前に開封することが望ましいため、開封時刻は最初に使用されるＪｏｂ２の直前となる（ステップＳ２１６）。
【００５３】
ステップＳ２１５において、次の生産に使用可能な部品が残存していない場合にはステップＳ２１７へ移行し、ステップＳ２１２において算定された開封許可時刻に開封される（ステップＳ２１７）。
【００５４】
次に、電子回路基板の生産順序を決定する第３の実施形態について以下に説明する。電子回路基板の生産システムとしては第１実施形態と同様なので、構成の説明を省略する。この実施形態は、生産計画で定まる生産終了時刻に、すでに開封され、かつ次の生産に使用可能な使用期限が残存する電子部品が残る場合である。
【００５５】
この場合、まず生産計画で定まる生産終了時刻に、生産に使用されるため開封され、かつ使用期限が残存する電子部品が残らないか判断される（ステップＳ３０１）。
【００５６】
次に、電子部品の使用期限までの残存期間が長い電子部品が残るように、最適化アプリケーションによって、前記電子回路基板間の生産順序を決定する（ステップＳ３０２）。
【００５７】
そして、決定された生産順序に基づいて電子回路基板の生産を行う（ステップＳ３０３）。基板に電子部品を装着して電子回路基板を生産する過程は第１の実施形態と同様なので省略する。
【００５８】
これによって、次に基板を生産する時に使用期限までの残存期間が長い電子部品を使用できるので、生産段取りの自由度を高めることができるとともに、使用期限の到来まで残さずに基板の生産に使用される可能性を高め、廃棄される電子部品を減少させることができ、歩留りを上げ電子回路基板の生産性を向上させることができる。
【００５９】
次に、電子回路基板の生産順序を決定する第４の実施形態を以下に説明する。電子回路基板の生産システムとしては第１実施形態と同様なので、構成の説明をを省略する。この実施形態は、生産計画で定まる生産終了時刻に、使用されずに廃棄される電子部品として残る場合である。本実施形態は第１の実施形態のステップＳ１０６において、生産順序を変更しても生産終了時刻までに使用期限が到来してしまう部品がある場合が相当する。
【００６０】
この場合、使用期限が過ぎる部品が最も安価であるか判断される（ステップＳ４０１）。
【００６１】
ステップＳ４０１において使用期限を過ぎる部品が最も安価ではない場合、ステップＳ４０２へ移行し、残る電子部品は部品価格及び数量の観点から最もトータル価格が低くなるように前記基板間の生産順序を決定する（ステップＳ４０２）。
【００６２】
ステップＳ４０１において、使用期限が過ぎる電子部品が最も安価である場合は、ステップＳ４０３へ移行し、使用期限が到来する電子部品であるかが判断される（ステップＳ４０３）。使用期限が生産終了前に到来する電子部品については廃棄される。廃棄は上記のように、最も低い価格の電子部品について行われるので生産コストの低減を図ることができる。
【００６３】
ステップ４０３において使用期限が生産終了後に到来する電子部品についてはステップＳ４０４へ移行し、電子回路基板の生産に使用される（ステップＳ４０４）。基板に電子部品を装着して電子回路基板を生産する過程は第１の実施形態と同様なので省略する。
【００６４】
なお、上記実施形態においては、基板に実装される電子回路部品について、使用期限を考慮して生産順序を決定することとしたが、これに限定されるものではなく、電子回路基板の生産に使用される材料、例えば電子回路のスクリーン印刷に使用される半田や電子部品を基板に接合するための接着剤等のように時間により劣化する材料についても、同様に適用することができる。
【図面の簡単な説明】
【００６５】
【図１】本発明に係る生産管理システムの概念を示す図。
【図２】各種情報をデータベースに登録するシステムを示す図。
【図３】電子部品の部品供給装置へのセット作業を示す図。
【図４】電子部品実装機を示す平面略図。
【図５】第１の実施形態のフローチャート。
【図６】同生産計画おける基板とそれに使用される電子部品を示す図。
【図７】同変更後の生産計画における基板とそれに使用される電子部品を示す図。
【図８】第２の実施形態のフローチャート。
【図９】同生産に使用される電子部品の基本情報・使用状況情報を示す図。
【図１０】同生産計画おける基板とそれに使用される電子部品を示す図。
【図１１】同変更後の生産計画における基板とそれに使用される電子部品を示す図。
【図１２】開封許可時刻を算定するための図。
【図１３】開封許可時刻を求めるためのフローチャート。
【図１４】第３の実施形態のフローチャート。
【図１５】第４の実施形態のフローチャート。
【符号の説明】
【００６６】
１…データベース（基本情報記憶手段・部品使用状況記憶手段・基板別装着電子部品記憶手段）、２…最適化アプリケーション（決定手段）、３…供給リール、５…バーコード、９…カセット式フィーダ、１１…リーダ、１５…部品供給装置、１９…基板、２１…基板搬送装置。
【図１】
0004657035.tif 000002
【図２】
0004657035.tif 000003
【図３】
0004657035.tif 000004
【図４】
0004657035.tif 000005
【図５】
0004657035.tif 000006
【図６】
0004657035.tif 000007
【図７】
0004657035.tif 000008
【図８】
0004657035.tif 000009
【図９】
0004657035.tif 000010
【図１０】
0004657035.tif 000011
【図１１】
0004657035.tif 000012
【図１２】
0004657035.tif 000013
【図１３】
0004657035.tif 000014
【図１４】
0004657035.tif 000015
【図１５】
0004657035.tif 000016